(57)【特許請求の範囲】
【請求項１】
軸線回りに回転される工具本体の先端面に形成された底刃と、工具本体の外周に形成された側面刃と、該先端面のコーナ部に円弧状に形成されて底刃と側面刃とつなげるコーナ刃とを備えたラジアスエンドミルにおいて、
前記側面刃及びコーナ刃が、工具本体の回転方向側から見て外面が波状に凹凸する切れ刃で構成され、前記コーナ刃の凹凸のピッチ及び山谷の差が前記側面刃の凹凸のピッチ及び前記山谷の差よりも小さくすることを特徴とするラジアスエンドミル。
【請求項２】
コーナ刃及び側面刃を構成する切れ刃の少なくとも凸部の工具本体軸線に沿う断面が、工具本体の軸線方向に長軸が向いた楕円形状をなしていることを特徴とする請求項１に記載のラジアスエンドミル。
【請求項３】
前記コーナ刃の凹凸のピッチを０．８〜１．０ｍｍとし、山谷の差を０．１〜０．１５ｍｍとすると共に、側面刃の凹凸のピッチを１．２〜１．５ｍｍとし、山谷の差を０．３〜０．５ｍｍとしたことを特徴とする請求項１又は２に記載のラジアスエンドミル。
【請求項４】
前記コーナ刃及び側面刃間に形成されるねじれ溝の工具本体軸線に対するねじれ角を１５〜３０°としたことを特徴とする請求項１〜３のいずれかの項に記載のラジアスエンドミル。
【請求項５】
刃先からホルダに至るまでの工具本体をソリッドで構成し、該工具本体の後端部をホルダに焼きばめで固定したことを特徴とする請求項１〜４のいずれかの項に記載のラジアスエンドミル。
【請求項６】
底刃から側面刃までを含む切れ刃が工具本体の周方向に複数形成され、各切れ刃が工具本体軸線に対して周方向に非対称に形成されていることを特徴とする請求項１〜５のいずれかの項に記載のラジアスエンドミル。
【請求項７】
前記切れ刃が４枚刃であり、向かい合う２枚の切削刃が他の向かい合う２枚の切削刃に対して、工具本体の周方向で９０°に加えてさらに２〜５°の偏向角をもたせて配置されていることを特徴とする請求項６に記載のラジアスエンドミル。
【発明の詳細な説明】
【技術分野】
【０００１】
本発明は、切削抵抗を低減すると共に、切り屑排出性を良くするため、切れ刃に凹凸（ラフィング）を設けたラジアスエンドミルに関し、詳しくは、さらに切削抵抗を減らして、切削中のビビリをなくすと共に、切削性能を向上させたラジアスエンドミルに関する。
【背景技術】
【０００２】
エンドミルには、先端形状が平坦で、主に２次元の加工（輪郭加工、ポケット加工など）に使用されるフラットエンドミルや、先端形状が球状で、主に曲面を切削するのに使用されるボールエンドミルや、先端のコーナ部がＲ形状を有するコーナ刃となっていて、荒取り、中仕上げ、最終仕上げ等に使用できるラジアスエンドミル等の種類がある。また、先端形状は平坦でフラットエンドミルと同じであるが、側面刃に波状の凹凸（ラフィング）が形成され、フラットエンドミルより切り込み量を大きくでき、主に荒取り用として使用されるラフィングエンドミルがある。
【０００３】
このうち、ラジアスエンドミルは、フラットエンドミルとボールエンドミルとの中間的な用途に使用され、特に被切削面が鋭角（９０°以下）をなす溝の隅部等の切削に好適である。そのため、金型の３次元曲面加工等によく使用されている。
特許文献１〜３には、ラジアスエンドミルの構成例が開示されている。また、特許文献４及び５には、ラフィングエンドミルの構成例が開示されている。
【０００４】
航空機用又は発電用タービンのノズルやブレード、あるいはプラスチック金型等に用いられる耐熱鋼は、ハイスと呼ばれる高速度鋼と成分が類似しており、高い高温強度と靭性を有する。そのため、これらの部品を精度良く、又は高い切削速度で切削するのは容易ではない。そのため、荒取り用として、切り込み量を大きくするために、前述のラフィングエンドミルが使用される。
【先行技術文献】
【特許文献】
【０００５】
【特許文献１】特開２００６−２９７４９５号公報
【特許文献２】特開２００７−３００７４号公報
【特許文献３】特開２００８−３６７２２号公報
【特許文献４】特開平２００１−１２１３４０号公報
【特許文献５】特開２００５−２７９８８６号公報
【発明の概要】
【発明が解決しようとする課題】
【０００６】
ラジアスエンドミルでは、先端面のコーナ部に設けられた円弧状のコーナ刃に加わる被切削部材の抵抗が大きくなり、そのため、前述のような難切削性材料でできた部材を切削する場合、コーナ刃に欠損が発生するおそれがある。また、特に、工具本体の突き出し量が多いときなど、工具本体にビビリ（振動や共振）が発生し、これによって、切削性能面で、切削面の精度が粗くなったり、切削速度が低下するなどの不具合いが発生する。
【０００７】
前述のラフィングエンドミルは、側面刃に形成された凹凸によって、切れ刃が受ける被切削部材の抵抗（以下「切削抵抗」という。）を軽減すると共に、凹凸で切り屑が分割されることによって、耐ビビリ性及び切り屑排出性が良いという長所がある。しかし、従来のラフィングエンドミルでは、特に、前述の難切削性材料の切削の場合に、未だ十分に切削抵抗を低減できず、耐ビビリ性も十分ではない。そのため、切れ刃の欠損が発生するおそれがある。
【０００８】
本発明は、かかる従来技術の課題に鑑み、ラジアスエンドミルにおいて、高強度で難切削性の部材を切削する場合でも、切削中のビビリをなくし、コーナ刃の欠損をなくすと共に、切削面精度や切削速度等の切削性能を高く維持できるようにすることを目的とする。
【課題を解決するための手段】
【０００９】
かかる目的を達成するため、本発明のラジアスエンドミルは、軸線回りに回転される工具本体の先端面に形成された底刃と、工具本体の外周に形成された側面刃と、該先端面のコーナ部に円弧状に形成されて底刃と側面刃とつなげるコーナ刃とを備えたラジアスエンドミルにおいて、側面刃及びコーナ刃が、工具本体の回転方向側から見て外面が波状に凹凸する切れ刃で構成され、前記コーナ刃の凹凸のピッチ及び山谷の差が前記側面刃の凹凸のピッチ及び前記山谷の差よりも小さくするものである。
【００１０】
本発明では、側面刃とコーナ刃とを外面が波状凹凸を有する切れ刃で構成したことにより、これらの切れ刃に対する切削抵抗を軽減できる。特に、切削中大きな切削抵抗を受けるコーナ刃に前記波状凹凸を形成したことにより、コーナ刃に対する切削抵抗を軽減できる。これによって、切削時に工具本体のビビリをなくし、コーナ刃の欠損を無くすことができると共に、切削面の精度向上、切削速度増大等、切削性能を向上できる。
【００１１】
本発明において、コーナ刃及び側面刃を構成する切れ刃の少なくとも凸部の工具本体軸線に沿う断面が、工具本体の軸線方向に長軸が向いた楕円形状（以下「横向き楕円形状」という。）をなしているとよい。このように、側面刃及びコーナ刃の凸部を横向き楕円形状とし、被切削部材側への突き出し量を低減することで、これらの切れ刃に加わる切削抵抗を効果的に軽減できると共に、芯厚（直交断面積）を確保でき、剛性を向上できる。
【００１２】
前記構成に加えて、コーナ刃の凹凸のピッチを０．８〜１．０ｍｍとし、山谷の差を０．１〜０．１５ｍｍとすると共に、側面刃の凹凸のピッチを１．２〜１．５ｍｍとし、山谷の差を０．３〜０．５ｍｍとするとよい。
コーナ刃及び側面刃の凹凸を横向き楕円形状とするだけでなく、コーナ刃及び側面刃の凹凸を前記数値範囲のように従来と比べて細かい形状とすることで、これら切れ刃に対する切削抵抗をさらに低減できる。ここで、コーナ刃には側面刃より高い切削抵抗が付加されるので、コーナ刃の凹凸のピッチ及び山谷の差を側面刃より小さくしている。
【００１３】
コーナ刃又は側面刃の凹凸の山谷の差及びピッチを前記上限値より増加させると、これらの切れ刃に対する切削抵抗が増加する。特に、溝加工等の場合に工具本体の突き出し量が増加すると、ビビリが発生しやすく、切削性能が低下する。一方、コーナ刃又は側面刃の凹凸の山谷の差及びピッチが前記下限値より下回ると、凹凸を付設したことにより得られる本来の切削抵抗の低減効果や切削性能が低下する。
【００１４】
本発明において、前記構成に加えて、コーナ刃及び側面刃間に形成されるねじれ溝の工具本体の軸線に対するねじれ角を１５〜３０°とするとよい。ねじれ角を大きくするほど、工具本体の芯厚（直交断面積）は小さくなる。前述のように、ねじれ溝のねじれ角を従来より小さく設定することで、工具本体の芯厚（直交断面積）を確保し、剛性を向上させることができる。そのため、工具本体の突き出し量を長くしても、工具本体のビビリを抑制でき、切削性能（切削面の凹凸低減、切削速度増大等）を向上できる。
【００１５】
ねじれ溝のねじれ角が前記上限値を超えると、工具本体の剛性が低下し、ビビリが発生しやすくなる。また、ねじれ角が前記下限値を下回ると、切れ刃に対する切削抵抗が増加し、ビビリが発生して、切削性能が低下する。
切り屑の排出通路となるねじれ溝のねじれ角は、大きいほうが切り屑排出性は良くなる。本発明では、凹凸の山谷の差及びピッチが従来と比べて小さいので、従来より切り屑を細分できる。そのため、ねじれ角を小さくしても、切り屑排出性が悪化しない。しかし、ねじれ角が前記下限値より下回ると、切り屑排出性が悪くなる。
【００１６】
本発明において、刃先からホルダに至るまでの工具本体先端部をソリッドで構成し、該工具本体後端部をホルダに焼きばめで固定するとよい。これによって、工具本体の剛性を向上でき、さらに工具本体のビビリをなくし、切削性能を向上できる。
【００１７】
本発明において、底刃から側面刃までを含む切れ刃が工具本体の周方向に複数形成され、各切れ刃が工具本体軸線に対して周方向に非対称に形成されているとよい。このように、複数の切れ刃を工具本体の周方向に非対称に配置することによって、個々の切れ刃に加わる切削抵抗に起因した振動のタイミングを微妙にずらし、個々の切削刃で発生する振動を互いに打ち消し合うようにすることができる。これによって、工具本体のビビリを抑制でき、切削性能を向上できる。
【００１８】
例えば、先端刃及び側面刃が４枚刃である場合、向かい合う２枚の切削刃の他の向かい合う２枚の切削刃に対して、工具本体の周方向で９０°に加えてさらに２〜５°の偏向角をもたせて配置するとよい。これによって、互いに向かい合う２枚の切削刃を１組とした２組の切れ刃で互いに切削抵抗を受けるタイミングを微妙にずらすことができる。これによって、２組の切れ刃間で互いに振動を打ち消し合い、工具本体のビビリを抑制できる。
【００１９】
なお、偏向角が２°を下回ると、振動を打ち消す効果があまり得られず、偏向角が５°を上回ると、工具本体の先端部の基本的な構成を変更することになり、他の切削性能に影響を与える。そのため、偏向角を２〜５°の範囲とするのが望ましい。
【発明の効果】
【００２０】
本発明装置によれば、軸線回りに回転される工具本体の先端面に形成された底刃と、工具本体の外周に形成された側面刃と、該先端面のコーナ部に円弧状に形成されて底刃と側面刃とつなげるコーナ刃とを備えたラジアスエンドミルにおいて、側面刃及びコーナ刃が、工具本体の回転方向側から見て外面が波状に凹凸する切れ刃で構成されているので、側面刃及びコーナ刃に加わる切削抵抗を軽減できる。
【００２１】
これによって、切れ刃に欠損が生じるのを防止できると共に、工具本体のビビリを抑制できるので、凹凸を設けたことによって得られる高い切削速度を維持しながら、切削面の切削性能（切削面の精度向上や切削速度の増大等）を向上できる。また、側面刃及びコーナ刃に凹凸を設けたことにより、切れ刃を細かく分断して、切り屑排出性を向上できる。
【図面の簡単な説明】
【００２２】
【図１】本発明の第１実施形態に係るラジアスエンドミルの正面図である。
【図２】前記ラジアスエンドミルの左側面図である。
【図３】（Ａ）は前記ラジアスエンドミルのコーナ刃の凹凸の拡大図であり、（Ｂ）は同じく側面刃の凹凸の拡大図である。
【図４】前記ラジアスエンドミルの切れ刃の凹凸を示す模式図である。
【図５】本発明のラジアスエンドミルでタービンブレードを切削している所を示す斜視図である。
【図６】本発明の第２実施形態に係るラジアスエンドミルの左側面図である。
【発明を実施するための形態】
【００２３】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２４】
（実施形態１）
本発明装置の第１実施形態を図１〜図５に基づいて説明する。図１及び図２において、本実施形態に係るラジアスエンドミル１０は、円筒形状の工具本体１２の根元部１２ａが大径の円筒形状を有するホルダ１４の軸方向中心に穿設された焼きばめ用穴１４ａに挿入され、焼きばめで固定されている。工具本体１２の先端側において、外周面にはねじれ形状の側面刃１６が設けられ、先端面には平坦に形成された底刃１８が設けられている。
【００２５】
先端面のコーナ部には、断面が円弧形状を有するコーナ刃２０が設けられ、コーナ刃２０が側面刃１６と底刃１８とを連結し、先端から外周面に向けて１本の連続した螺旋状の切れ刃を形成している。本実施形態のラジアスエンドミル１０では、４本の切れ刃が工具本体１２の周方向に等間隔で配置されている。これら螺旋状に形成された切れ刃の間に、４本の螺旋状のねじれ溝２２が刻設されている。
【００２６】
図２に示すように、工具本体１２は、矢印ｒ方向に回転し、底刃１８、コーナ刃２０及び側面刃１６で構成された切れ刃で被切削部材を切削し、切り屑はねじれ溝２２を通って根元部１２ａ側に排出される。側面刃１６には、凹凸２４が設けられ、コーナ刃２０には凹凸２６が設けられている。凹凸２４、２６は、それらの峰線及び谷線が工具本体１２の軸線Ａに対して略直交する方向に配置されている。凹凸２４、２６は先端面のコーナ部から根元部１２ａのほうに向かって延設されている。
【００２７】
図２に示すように、底刃１８は、先端中心Ｂから半径方向外側へ向って放射状に配置されている。また、底円Ｄは、ねじれ溝２２の底面の位置を示す。
図３により、凹凸２４、２６の形状を説明する。図３の（Ａ）はコーナ刃２０に設けらた凹凸２６の断面形状を示し、（Ｂ）は側面刃１６に設けられた凹凸２４の断面形状を示し、両断面とも軸線Ａの方向に沿った断面である。凹凸２４、２６は、少なくとも夫々の凸部２４ａ及び２６ａの断面が、長軸が軸線Ａの方向に沿うように配置された横向き楕円形状をなす。夫々の凹部２４ｂ及び２６ｂの断面は、凸部のような横向き楕円形状である必要はないが、凸部との接続部を滑らかにつなげるために、凸部と同様の横向き楕円形状とするか、あるいは曲率半径が比較的大きいＲ形状とするのが望ましい。
【００２８】
凹凸２４、２６をこのような断面形状とすることで、本実施形態の凹凸２４及び２６の被切削部材側への突き出し量は、従来のラジアスエンドミルより小さくなっている。また、凹凸２４及び２６の山谷の差及びピッチも、従来のラジアスエンドミルより小さく形成されている。このように、凹凸２４、２６を形成することで、側面刃１６及びコーナ刃２０が受ける切削抵抗を小さくすることができる。
【００２９】
具体的には、凹凸２６の山谷の差Ｈ１を０．１〜０．１５ｍｍ、ピッチＰ１を０．１〜０．１５ｍｍ、凹凸２４の山谷の差Ｈ２を０．３〜０．５ｍｍ、ピッチＰ２を１．２〜１．５ｍｍとしている。コーナ刃２０は側面刃１６と比べて、切削抵抗が大きいが、凹凸２６の山谷の差Ｈ１及びピッチＰ１を凹凸２４の山谷の差Ｈ２及びピッチＰ２より小さくすることにより、凹凸２６が受ける切削抵抗を軽減するようにしている。
【００３０】
また、本実施形態の凹凸２４又は２６は、夫々の切れ刃において１ピッチ内で凹凸の位置を軸線Ａの方向に少しずつずらして配置されている。これによって、被切削部材の切削面の凹凸を低減できると共に、個々の切れ刃に対する切削抵抗を低減できる。なお、この手段は従来公知である。
【００３１】
次に、図４に示すように、工具本体１２の軸線Ａに対するねじれ溝２２のねじれ角αを１５〜３０°とし、従来のラジアスエンドミルのねじれ角より小さくしている。ねじれ角αが大きければ、切れ刃に対する切削抵抗を小さくでき、切削性を向上できると共に、切り屑の排出性が良くなるが、芯厚（直交断面積）が減少するので、工具本体１２の剛性が低下する。一方、ねじれ角αが小さければ、この逆の現象が起こる。
【００３２】
本実施形態では、切れ刃の凹凸２４、２６の山谷の差及びピッチを小さくしてあるので、切れ刃に対する切削抵抗を小さくでき、そのため、従来のラジアスエンドミルよりねじれ角αを小さくしても、切削抵抗が増大しない。しかも、凹凸２４、２６の山谷の差及びピッチが従来のラジアスエンドミルより小さいので、切り屑は細かくなる。そのため、ねじれ角αを小さくしても、切り屑の排出性は低下しない。また、ねじれ角αを小さくすることにより、工具本体１２の芯厚を確保でき、剛性を向上できる。
【００３３】
コーナ刃２０の凹凸の山谷の差及びピッチを前記上限値より増加させるか、あるいは側面刃１６の凹凸の山谷の差及びピッチを前記上限値より増加させると、これらの切れ刃に対する切削抵抗が増加し、溝加工等の場合のように工具本体１２の突き出し量が増加すると、ビビリが発生し、切削性能がやや低下することがわかった。
一方、凹凸２４又は２６の山谷の差及びピッチが前記下限値より下回ると、本来凹凸を付与したことにより得られる切削性能がやや低下することがわかった。
【００３４】
また、本実施形態では、工具本体１２の先端側から根元部側に向かう途中で、ねじれ角αを変更している。例えば、ねじれ角αを２０°とし、先端から根元部側に向かう途中で、ねじれ角αを２０°を中心に前後に（２０°±２〜３°）だけランダムに変更するようにしている。これによって、切削過程で工具本体１２に発生する振動の周波数を異ならせることにより、切削中のビビリを低減できる。かかる手段は、ビビリが発生しやすい溝加工に適用して好適である。
【００３５】
本実施形態によれば、側面刃１６及びコーナ刃２０に設けられた凹凸２４、２６の軸線Ａ方向に沿う断面形状を横向き楕円形状とすると共に、該凹凸の山谷の差及びピッチを従来より小さくしたことにより、切れ刃に負荷される切削抵抗を低減できる。これによって、切削面の切削精度を向上させ、かつ切削速度を増大できると共に、切れ刃の欠損を低減でき、工具交換回数を低減できるので、作業効率を向上できる。特に、大きな抵抗が発生するコーナ刃２０の凹凸の山谷の差やピッチを側面刃１６より低減したので、コーナ刃２０の切削抵抗を低減でき、欠損の発生を抑制できる。また、凹凸２４、２６の被切削部材側への突き出し量を低減したので、芯厚（直交断面積）を確保でき、剛性を向上できる。
【００３６】
また、前記構成に加えて、ねじれ角αを１５〜３０°とし、従来のラジアスエンドミルより小さくしたので、切れ刃に対する切削抵抗を増加させず、かつ切り屑排出性を低下させることなく、工具本体１２の芯厚を増加させて、剛性を向上できる。これによって、溝加工等の場合に、工具本体１２の突き出し量が増加しても、ビビリが発生せず、切削面の切削精度を向上できる。
【００３７】
また、工具本体１２をソリッドで構成し、工具本体１２の根元部１２ａをシャンク１４に焼きばめで固定したので、工具本体１２の剛性を向上できる。これによって、工具本体１２の切削時のビビリを抑制できる。
【００３８】
本発明者等は、側面刃１６及びコーナ刃２０の凹凸２４、２６の凸部２４ａ、２６ａ及び凹部２４ｂ、２６ｂの断面を横向き楕円形状とし、かつコーナ刃２０の凹凸２６の山谷の差Ｈ１を０．１３ｍｍ、ピッチＰ１を１．０ｍｍとし、側面刃１６の凹凸２４の山谷の差Ｈ２を０．４ｍｍ、ピッチＰ２を１．２ｍｍとし、かつねじれ溝２２のねじれ角αを２０°とし、工具本体１２をソリッドで構成し、ホルダ１４に焼きばめ固定したラジアスエンドミルを製作した。
【００３９】
このラジアスエンドミルを用いて、タービンブレードを切削加工した。図５はこのラジアスエンドミルを用いた切削加工時を示す。図５において、工具本体１２を固定したホルダ１４が図示省略の加工機に装着され、被切削部材であるタービンブレードＴＢは、固定治具３０，３０に固定されている。この状態で、ラジアスエンドミル１０によってタービンブレードＴＢを切削し、タービンブレードＴＢの３次元曲面を形成している。
【００４０】
このラジアスエンドミルを用いたところ、切削中、工具本体１２のビビリがなく、精度の良い荒仕上げ面を形成できた。また、切れ刃の欠損も発生しなかった。従来の粉末ハイスで形成されたラジアスエンドミルを使用すると、１個のタービンノズルを切削するのに２時間余り要していたが、このラジアスエンドミルを用いたところ、４０分強で切削加工を完了できた。
【００４１】
なお、コーナ刃２０の凹凸２６の山谷の差Ｈ１及びピッチＰ１を前記上限値より増加させるか、あるいは側面刃１６の凹凸２４の山谷の差Ｈ２及びピッチＰ２を前記上限値より増加させると、これらの切れ刃に対する切削抵抗が増加し、溝加工等の場合に工具本体１２の突き出し量が増加すると、多少ビビリが発生し、切削性能が低下することがわかった。
一方、凹凸２４又は２６の山谷の差及びピッチが前記下限値より下回ると、凹凸を設けたことによる本来の切削性能がやや低下することがわかった。
【００４２】
また、ねじれ溝２２のねじれ角αが前記上限値を超えると、工具本体１２の剛性が低下し、ややビビリが発生することがわかった。また、ねじれ角αが前記下限値を下回ると、切れ刃に対する切削抵抗が増し、やや切削面が粗くなり、切削面の切削精度がやや低下することがわかった。
【００４３】
なお、図５は、ラジアスエンドミル１０でタービンブレードＴＢの溝３２を切削しているところを示している。この溝３２は、被加工面が鋭角（９０°以下）になっているが、本発明のラジアスエンドミルは、かかる被加工面を切削するのに特に好適である。かかる被加工面でも、切れ刃に加わる切削抵抗を低減でき、切れ刃の欠損を防止できると共に、切削面の精度や切削速度等を高く維持できる。そして、被切削部材が、航空機や発電用のタービンに用いられるブレード、ノズルや、プラスチック成形用等の金型等に用いられる、高い高温強度と靭性をもつ耐熱鋼からなるものであっても、耐ビビリ性が良く、切れ刃に欠損が生じず、かつ良好な切削性能を発揮できる。刃部にコーティング処理を行うと、さらに刃先の寿命が向上する。
【００４４】
（実施形態２）
次に、本発明装置の第２実施形態を図６により説明する。図６において、４枚の底刃１８ａ〜ｄのうち、向かい合う底刃１８ａ及び１８ｃは、図２に示す第１実施形態と同様に、横方向中心線Ｃ１上に配置されている。これに対し、向かい合う底刃１８ｂ及び１８ｄは、先端中心Ｂを中心に縦方向中心線Ｃ２に対して、夫々偏向角βだけ回転した位置に配置されている。偏向角βは２〜５°の範囲内（例えば４°）とする。その他の構成は、前記第１実施形態と同一である。
【００４５】
本実施形態では、４枚の底刃１８ａ〜ｄが先端中心Ｂに対して非対称に配置されている。即ち、工具本体１２の周方向に等間隔で配置されていない。そのため、夫々の底刃につらなる４枚の切れ刃が被切削部材に当るときのタイミングを、各切れ刃間で異ならせることができる。切削中に発生する振動の周波数は、各切れ刃の切削タイミングによって決められる。本実施形態では、各切れ刃間の切削タイミングの間隔が異なるので、発生する振動の周波数が異なり、これらが互いに打ち消し合う。これによって、切削中、ビビリの増大が抑制され、切削性能を確保できる。
【００４６】
本発明者等の実験によれば、底刃１８ｂ及び１８ｄの縦方向中心線Ｃ２に対する角度βが２°より小さいと、振動抑制効果はほとんど発生せず、逆に角度βが５°より大きいと、工具本体１２の先端部の基本的な構成変更となり、他の切削性能に影響を与える。そのため、角度βを２〜５°の範囲とするのが望ましいことがわかった。
【産業上の利用可能性】
【００４７】
本発明のラジアスエンドミルは、難切削性材料からなる部材に対しても、切れ刃に対する切削抵抗を少なくして、切れ刃のビビリや欠損を低減でき、切削性能を高く維持できる。
【符号の説明】
【００４８】
１０                    ラジアスエンドミル
１２                    工具本体
１２ａ                  根元部
１４                    ホルダ
１４ａ                  焼きばめ用穴
１６                    側面刃
１８、１８ａ〜ｄ        底刃
２０，２０ａ〜ｄ        コーナ刃
２２                    ねじれ溝
２４，２６              凹凸
２４ａ                  凸部
２４ｂ                  凹部
３０                    固定治具
３２                    溝
Ａ                      工具本体軸線
Ｂ                      先端中心
Ｃ１                      横方向中心線
Ｃ２                      縦方向中心線
Ｄ                      底円
ＴＢ                    タービンブレード（被切削部材）
ｒ                      回転方向
α                      ねじれ角
β                      偏向角
【図１】
0005302943.tif 000002
【図２】
0005302943.tif 000003
【図３】
0005302943.tif 000004
【図４】
0005302943.tif 000005
【図５】
0005302943.tif 000006
【図６】
0005302943.tif 000007